(57)【要約】【課題】箱体の背面を塞いでいる背面板を取り外すことなく、背面を開放する。【解決手段】床板２、側面板３、天井板４、背面部材、正面扉で箱体が構成される金属閉鎖形スイッチギヤであって、背面部材は、背面を覆う背面板１０ａ、（１０ｂ）と、背面板１０ａ、（１０ｂ）の一側辺に一辺が固定されたヒンジ１１ａ、（１１ｂ）と、ヒンジ１１ａ、（１１ｂ）の他辺に固定されたヒンジベース１５ａ、（１５ｂ）と、ヒンジベース１５ａ、（１５ｂ）の両端部が溝部を移動自在に移動する背面側から正面側に延びた一対のレール１６ａ、１６ｂ、（１６ｃ、１６ｄ）とを有することを特徴とする。【選択図】  図１
2012085438.tif 000002
【特許請求の範囲】
【請求項１】
床板、側面板、天井板、背面部材、正面扉で箱体が構成される金属閉鎖形スイッチギヤであって、
前記背面部材は、背面を覆う背面板と、
前記背面板の一側辺に一辺が固定されたヒンジと、
前記ヒンジの他辺に固定されたヒンジベースと、
前記ヒンジベースの両端部が移動自在に移動する背面側から正面側に延びた一対のレールと
を有することを特徴とする金属閉鎖形スイッチギヤ。
【請求項２】
前記背面板を幅方向で二分割し、分割した部分を中間ヒンジで連結したことを特徴とする請求項１に記載の金属閉鎖形スイッチギヤ。
【請求項３】
前記背面板を幅方向で二分割し、それぞれの一側辺にヒンジを設け両開きとしたことを特徴とする請求項１に記載の金属閉鎖形スイッチギヤ。
【請求項４】
前記一対のレールは、溝部が対向する構成であり、この溝部の背面側の端部を側板で覆ったことを特徴とする請求項１乃至請求項３に記載の金属閉鎖形スイッチギヤ。
【請求項５】
前記背面板を開いたとき、これを挟むような回転自在のローラを設けたことを特徴とする請求項１乃至請求項４に記載の金属閉鎖形スイッチギヤ。
【発明の詳細な説明】
【技術分野】
【０００１】
本発明の実施形態は、保守点検時の作業性を向上し得る金属閉鎖形スイッチギヤに関する。
【背景技術】
【０００２】
金属閉鎖形スイッチギヤは、図６に示すように、遮断器などの収納機器を箱体１内に収納し、電力系統の制御、保護を行うものである。箱体１は、板状の床板２、両側の側面板３、天井板４、上下に二分割された背面板５ａ、５ｂ、図示しない正面扉で構成されている。背面板５ａ、５ｂには、それぞれ把手６ａ、６ｂが取り付けられ、持ち運び自在となっている。背面側を閉じるときには、複数のボルト７ａ、７ｂで固定される（例えば、特許文献１参照。）。
【先行技術文献】
【特許文献】
【０００３】
【特許文献１】特開２００８−２８３７３４号公報
【発明の概要】
【発明が解決しようとする課題】
【０００４】
上記の従来の金属閉鎖形スイッチギヤにおいては、次のような問題がある。収納機器の保守点検時や背面側から引き込まれるケーブルの接続作業時などには、背面板５ａ、５ｂを取り外し、開放している。取り外した背面板５ａ、５ｂは、電気室の所定の保管エリアに仮置きされる。このため、電気室に保管エリアを確保しなければならず、また、背面板５ａ、５ｂを保管エリアまで運搬しなければならなかった。
【０００５】
本発明は上記問題を解決するためになされたもので、背面板を取り外すことなく箱体の背面側を開放でき、作業性を向上し得る金属閉鎖形スイッチギヤを提供することを目的とする。
【課題を解決するための手段】
【０００６】
上記目的を達成するために、実施形態の金属閉鎖形スイッチギヤは、床板、側面板、天井板、背面部材、正面扉で箱体が構成される金属閉鎖形スイッチギヤであって、前記背面部材は、背面を覆う背面板と、前記背面板の一側辺に一辺が固定されたヒンジと、前記ヒンジの他辺に固定されたヒンジベースと、前記ヒンジベースの両端部が移動自在に移動する背面側から正面側に延びた一対のレールとを有することを特徴とする。
【図面の簡単な説明】
【０００７】
【図１】本発明の実施例１に係る金属閉鎖形スイッチギヤの箱体の構成を示す斜視図。
【図２】本発明の実施例１に係る金属閉鎖形スイッチギヤの箱体の開閉操作を説明する図。
【図３】本発明の実施例２に係る金属閉鎖形スイッチギヤの箱体の構成を示す斜視図。
【図４】本発明の実施例３に係る金属閉鎖形スイッチギヤの箱体の構成を示す斜視図。
【図５】本発明の実施例４に係る金属閉鎖形スイッチギヤの箱体の構成を示す要部拡大斜視図。
【図６】従来の金属閉鎖形スイッチギヤの箱体の構成を示す斜視図。
【発明を実施するための形態】
【０００８】
以下、図面を参照して本発明の実施例を説明する。
【実施例１】
【０００９】
先ず、本発明の実施例１に係る金属閉鎖形スイッチギヤを図１、図２を参照して説明する。図１は、本発明の実施例１に係る金属閉鎖形スイッチギヤの箱体の構成を示す斜視図、図２は、本発明の実施例１に係る金属閉鎖形スイッチギヤの箱体の開閉操作を説明する図である。なお、各図において、従来と同様の構成部分については、同一符号を付した。
【００１０】
図１に示すように、遮断器などの収納機器を収納する箱体１は、板状の床板２、両側の側面板３、天井板４、上下に二分割された上部背面板１０ａと下部背面板１０ａ、図示しない正面扉で構成されている。
【００１１】
上部背面板１０ａ、下部背面板１０ｂには、それぞれ一側辺に回動自在の上部ヒンジ１１ａ、下部ヒンジ１１ｂの一辺が固定されている。他側辺側には、それぞれ凹状の上部引掛け部１２ａ、下部引掛け部１２ｂが設けられ、また、上部ボルト１３ａ、下部ボルト１３ｂが貫通する貫通孔が設けられている。上部ボルト１３ａ、下部ボルト１３ｂは、上部側板１４ａ、下部側板１４ｂに締付け固定される。
【００１２】
上部ヒンジ１１ａ、下部ヒンジ１１ｂの他辺には、それぞれ板状の上部ヒンジベース１５ａ、下部ヒンジベース１５ｂが固定されている。上部ヒンジベース１５ａは、コ字状で溝部が対向し奥行き方向に配置された第１のレール１６ａと第２のレール１６ｂ間を移動自在に移動できるようになっている。即ち、上部ヒンジベース１５ａの両端部は、背面側から正面側に延びた一対のレールとなる第１のレール１６ａと第２のレール１６ｂの溝部に遊嵌されている。下部ヒンジベース１５ｂも同様に、コ字状で溝部が対向した一対のレールとなる第３のレール１６ｃと第４のレール１６ｄ間を移動できるようになっている。上部ヒンジベース１５ａ、下部ヒンジベース１５ｂの長さは、上部背面板１０ａ、下部背面板１０ｂの高さよりも僅かに長い。
【００１３】
上部背面板１０ａの上部には、天井枠板１７ａが設けられ、第１のレール１６ａの溝部の端部を覆うようになっている。下部にも、第１の中間枠板１７ｂが設けられ、第２のレール１６ｂの溝部の端部を覆うようになっている。これにより、上部ヒンジベース１５ａが箱体１外に脱落しないようになっている。下部背面板１０ｂも同様に、上部に第２の中間枠板１７ｃ、下部に床枠板１７ｄが設けられ、下部ヒンジベース１５ｂが箱体１外に脱落しないようになっている。
【００１４】
次に、上部背面板１０ａの開閉操作を図２を参照して説明する。
【００１５】
図２（ａ）に示すように、上部ボルト１３ａを取り外し、上部引掛け部１２ａを持ち、上部ヒンジ１１ａを支点として上部背面板１０ａを略９０度回動させ、上部背面板１０ａを第１のレール１６ａ、第２のレール１６ｂと略平行にする。そして、図２（ｂ）に示すように、上部ヒンジベース１５ａとともに上部背面板１０ａを、第１のレール１６ａ、第２のレール１６ｂの溝部に沿って正面側に移動させ箱体１内に収納する。これにより、背面を塞いでいる上部背面板１０ａを取り外すことなく、背面側の上部を開放することができる。
【００１６】
下部背面板１０ｂも同様に、下部ヒンジ１１ｂを支点として回動させ、第３のレール１６ｃ、第４のレール１６ｄの溝部に沿って正面側に移動させることで、背面側の下部を開放することができる。
【００１７】
なお、背面板１０ａ、１０ｂを上部と下部に二分割せず、一枚ものとし、天井側と床側に配置した一対のレールにより移動させることができる。
【００１８】
ここで、箱体１の背面を覆う背面板１０ａ、１０ｂ、ヒンジ１１ａ、１１ｂ、ヒンジベース１５ａ、１５ｂ、ヒンジベース１５ａが移動自在に移動する一対のレール１６ａ、１６ｂ、（ヒンジベース１５ｂではレール１６ｃ、１６ｄ）を背面部材と定義する。
【００１９】
上記実施例１の金属閉鎖形スイッチギヤによれば、背面板１０ａ（１０ｂ）の一側辺にヒンジ１１ａ（１１ｂ）を設け、これを支点として回動させて片開きとし、箱体１の奥行き方向に配置した一対のレール１６ａ、１６ｂ（１６ｃ、１６ｄ）に沿って正面側に移動させているので、背面板１０ａ（１０ｂ）を取り外すことなく、箱体１の背面側を開放することができる。これにより、保守点検時の作業性を向上させることができる。
【実施例２】
【００２０】
次に、本発明の実施例２に係る金属閉鎖形スイッチギヤを図３を参照して説明する。図３は、本発明の実施例２に係る金属閉鎖形スイッチギヤの箱体の構成を示す斜視図である。なお、この実施例２が実施例１と異なる点は、背面板を分割したことである。図３において、実施例１と同様の構成部分においては、同一符号を付し、その詳細な説明を省略する。上部背面板と下部背面板で同様であるので、上部背面板を用いて説明する。
【００２１】
図３（ａ）に示すように、上部背面板１０ａを幅方向で、第１の上部背面板１０ａ１と第２の上部背面板１０ａ２に二分割し、分割した部分を上部中間ヒンジ１１ａ１で連結している。
【００２２】
背面側を開放する場合、図３（ｂ）に示すように、上部中間ヒンジ１１ａ１を支点として第１の上部背面板１０ａ１と第２の上部背面板１０ｂ１を折りたたみながら、上部ヒンジ１１ａを支点として背面を開放し、第１のレール１６ａ、第２のレール１６ｂと略平行にする。そして、折りたたんだ状態の上部背面板１０ａを、第１のレール１６ａ、第２のレール１６ｂに沿って正面側に移動させ箱体１内に収納する。
【００２３】
上記実施例２の金属閉鎖形スイッチギヤによれば、実施例１と同様の効果のほかに、上部背面板１０ａを二分割して折りたたんでいるので、移動させる距離を短くすることができる。
【実施例３】
【００２４】
次に、本発明の実施例３に係る金属閉鎖形スイッチギヤを図４を参照して説明する。図４は、本発明の実施例３に係る金属閉鎖形スイッチギヤの箱体の構成を示す斜視図である。なお、この実施例３が実施例１と異なる点は、背面板を幅方向で分割したことである。図４において、実施例１と同様の構成部分においては、同一符号を付し、その詳細な説明を省略する。上部背面板と下部背面板で同様であるので、上部背面板を用いて説明する。
【００２５】
図４（ａ）に示すように、上部背面板１０ａを幅方向で、第１の上部背面板１０ａ１と第２の上部背面板１０ａ２に二分割し、それぞれ側面板３側に上部ヒンジ１１ａ、上部ヒンジ１１ａ２を設けている。第２の上部背面板１０ａ２側には、第１のレール１６ａ、第２のレール１６ｂと同様の第５のレール１６ｅ、第６のレール１６ｆを設けている。
【００２６】
背面側を開放する場合、図４（ｂ）に示すように、上部ヒンジ１１ａを支点として第１の上部背面板１０ａ１を開放し、同時に、上部ヒンジ１１ａ２を支点として第２の上部背面板１１ａ２を開放する。即ち、上部背面板１０ａ１、１０ａ２を両開きとする。そして、第１の上部背面板１０ａ１は、第１のレール１６ａ、第２のレール１６ｂ内を移動させ、箱体１内の一方の側面に収納する。第２の上部背面板１０ａ２は、第５のレール１６ｅ、第６のレール１６ｆ内を移動させ、箱体１内の他方の側面に収納する。
【００２７】
上記実施例３の金属閉鎖形スイッチギヤによれば、実施例２と同様の効果を得ることができる。
【実施例４】
【００２８】
次に、本発明の実施例４に係る金属閉鎖形スイッチギヤを図５を参照して説明する。図５は、本発明の実施例４に係る金属閉鎖形スイッチギヤの箱体の構成を示す要部拡大斜視図である。なお、この実施例４が実施例１と異なる点は、ローラを設けたことである。図５において、実施例１と同様の構成部分においては、同一符号を付し、その詳細な説明を省略する。上部背面板と下部背面板で同様であるので、上部背面板を用いて説明する。
【００２９】
図５に示すように、上部背面板１０ａを開いたとき、上部背面板１０ａを挟むような回転自在の一対のローラ１８を設けている。
【００３０】
上記実施例４の金属閉鎖形スイッチギヤによれば、実施例１と同様の効果のほかに、上部背面板１０ａの移動を容易にすることができる。
【００３１】
以上述べたような実施形態は、箱体の背面側を塞ぐ背面板にヒンジを取り付け、箱体内に収納するようにしているので、背面板を取り外すことなく、箱体の背面側を開放することができる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１  箱体
２  床板
３  側面板
４  天井板
５ａ、５ｂ、１０ａ、１０ｂ、１０ａ１、１０ａ２  背面板
６ａ、６ｂ  把手
７ａ、７ｂ、１３ａ、１３ｂ  ボルト
１１ａ、１１ｂ、１１ａ１、１１ａ２  ヒンジ
１２ａ、１２ｂ  引掛け部
１４ａ、１４ｂ  側板
１５ａ、１５ｂ  ヒンジベース
１６ａ、１６ｂ、１６ｃ、１６ｄ、１６ｅ、１６ｆ  レール
１７ａ、１７ｂ、１７ｃ、１７ｄ  枠板
１８  ローラ
【図１】
2012085438.tif 000003
【図２】
2012085438.tif 000004
【図３】
2012085438.tif 000005
【図４】
2012085438.tif 000006
【図５】
2012085438.tif 000007
【図６】
2012085438.tif 000008